(57)【特許請求の範囲】
【請求項１】
電柱上部に存在する板材を部材間に差し込んで挟み込むことにより該板材に取り付けられて支持される取付装置と、該取付装置に連設されて側方に延在する棒状部材と、を備えており、
該棒状部材の先端側は、返しとして、延在方向から上方に向かって延長されて水平面内で周回する周回部が形成されていることを特徴とする電柱設置装置。
【請求項２】
前記取付装置は、板材の一面側の離隔箇所に圧接する一対の第１部材と、該板材の他面側に圧接する第２部材とを備えており、
板材への取付前には、第１部材の間の離隔空間内に第２部材が進入して、該第２部材の板材への圧接箇所が該第１部材の板材への圧接箇所の間に位置するように形成されていることを特徴とする請求項１に記載の電柱設置装置。
【請求項３】
前記取付装置は、電柱上部の変圧器本体の外周面に配設されているハンガ座の該変圧器本体の外周面に対面する板材を挟み込むようにして当該変圧器に取付支持されることを特徴とする請求項１または２に記載の電柱設置装置。
【発明の詳細な説明】
【技術分野】
【０００１】
本発明は、電柱設置装置に関し、詳しくは、高所に設置されている板材に工具袋などを吊り下げることを可能にするものに関する。
【背景技術】
【０００２】
従来より、電柱の上部には各種機器が設置されており、このような電柱に設置されている機器の定期点検や電線の増設を行う際には、電柱上部の足場ボルトなどを利用しつつ設置場所に作業者が登って各種作業を行う。
【０００３】
このとき、作業者は使用する工具や材料などを工具袋に入れて近い箇所に準備して各種作業を行っており、その工具袋は、紐の先端にフックなどを連結することにより、例えば、変圧器近傍の作業ではその変圧器に設置されているハンガ座にそのフックを引っ掛けている。この工具袋の紐に連結するフックは、一般的には、Ｕ字あるいは半周以上の湾曲円弧形状などに形成されており、吊り下げたい箇所を内部に収装することにより引っ掛けて吊り下げることができる（例えば、特許文献１、２参照）。
【特許文献１】特開２０００−１５３９８５号公報
【特許文献２】特開２００４−１６６７２３号公報
【発明の開示】
【発明が解決しようとする課題】
【０００４】
しかしながら、このような従来の吊り下げ用のフックなどにあっては、下方に開口する形状であることから、作業中に誤って工具袋を上方に持ち上げるような力が加わった場合には、引っ掛けた箇所から外れて落下してしまう恐れがある。このため、集中して作業することができず、作業性が悪くなってしまう、という問題があった。
【０００５】
このことから、作業袋を固定する箇所として、電柱上部に特別な装置を配設することが考えられるが、膨大な箇所に配設する必要があってコストが掛かり過ぎてしまって、結果的には使われなくなってしまうことが予想される。
【０００６】
そこで、本発明は、作業場所毎に工具袋などを引っ掛ける箇所を設けることなく、既存の箇所を利用してその工具袋を信頼性高く引っ掛けることができるようにして、落下などの恐れなく集中して作業可能に、電柱上部での作業を補助することのできる電柱設置装置を提供することを目的とする。
【課題を解決するための手段】
【０００７】
上記課題を解決する電柱設置装置の第１の発明は、電柱上部に存在する板材を部材間に差し込んで挟み込むことにより該板材に取り付けられて支持される取付装置と、該取付装置に連設されて側方に延在する棒状部材と、を備えており、該棒状部材の先端側は、返しとして、延在方向から上方に向かって延長されて水平面内で周回する周回部が形成されていることを特徴とするものである。
【０００８】
この発明では、電柱上部に設置されている板状部材を部材間で挟み込んで、棒状部材を側方に延在する姿勢に取り付けることができ、その棒状部材の先端側の返しには、延在方向から上方に向かって延長されて水平面内で周回する周回部が形成されているので、その棒状部材先端から外方に離脱しようとしても、その周回部内に工具袋の紐などを進入させることができる。
したがって、例えば、鉛直方向や水平方向の板状部材が存在する電柱上部のアームなどに棒状部材を取り付けることができ、その棒状部材に工具袋の紐などを引っ掛けて吊り下げることができる。このとき、側方に延在する姿勢の棒状部材は、先端の返し形状が上方に向くように水平面内で周回する周回部であるので、その工具袋の紐が誤って大きく上方に移動しようとしたとしても、その棒状部材先端の周回部から抜け出ることができずに脱落してしまうこともなく、信頼性高く吊り下げた状態を維持することができる。
【０００９】
上記課題を解決する電柱設置装置の第２の発明は、上記第１の発明の特定事項に加え、前記取付装置は、板材の一面側の離隔箇所に圧接する一対の第１部材と、該板材の他面側に圧接する第２部材とを備えており、板材への取付前には、第１部材の間の離隔空間内に第２部材が進入して、該第２部材の板材への圧接箇所が該第１部材の板材への圧接箇所の間に位置するように形成されていることを特徴とするものである。
【００１０】
この発明では、電柱上部の板材の一面側に圧接する一対の第１部材の間に進入する第２部材がその板材の他面側に圧接する状態で取り付けられる。したがって、単に互いに対向して接近する部材が両面側に圧接するよりも大きな圧力でその板材を挟圧する状態にして取り付けることができる。
【００１１】
上記課題を解決する電柱設置装置の第３の発明は、上記第１または第２の発明の特定事項に加え、前記取付装置は、電柱上部の変圧器本体の外周面に配設されているハンガ座の該変圧器本体の外周面に対面する板材を挟み込むようにして当該変圧器に取付支持されることを特徴とするものである。
【００１２】
この発明では、電柱上部に設置されている変圧器のハンガ座（板状部材）に、側方の水平方向に延在する姿勢に棒状部材を取り付けることができ、その棒状部材に工具袋の紐などを引っ掛けて吊り下げることができる。このとき、棒状部材先端の返し形状が上方に向くことにより、あるいは、その棒状部材先端の周回部が形成されることにより、工具袋の紐などを脱落させることなく吊り下げることができる。
【発明の効果】
【００１３】
このように本発明によれば、電柱上部に設置されている板状部材を挟み込むようにして、先端に返しや周回部の形成された棒状部材を水平や鉛直になる姿勢で取り付けることができ、例えば、変圧器に既存のハンガ座に設置することができる。したがって、この作業位置近傍に設置された棒状部材に工具袋の紐などを引っ掛けて吊り下げることができ、工具袋の紐が滑って先端から脱落させてしまうことなく、その工具袋から注意を払うことなく材料や工具などを取り出して作業を行うことができる。この結果、集中して、ミスなく、また、効率よく安全に作業を行うことができる。
【発明を実施するための最良の形態】
【００１４】
以下、本発明の最良の実施形態を図面に基づいて説明する。図１〜図５は本発明に係る電柱設置装置の一実施形態を示す図である。
【００１５】
図１および図２において、電柱設置装置１０は、板状部材を挟み込む構造に設計されている取付装置１１と、この取付装置１１の表面から鉛直外方に延在するように立設されている棒状部材２１と、を備えて構築されており、取付装置１１を板状部材に取り付けることにより棒状部材２１をその板状部材に設置することができる。
【００１６】
取付装置１１は、棒状部材２１を立設する外面部１２が長方形に形成されているとともに、この外面部１２の長手方向の側辺１２ａには背面側に向かって拡開するように延在するスカート部１３が連設されており、外面部１２の一端側の背面には、スカート部１３の間に位置して取付対象の板状部材を挟み込む挟圧片１４がネジ止め固設されている。
【００１７】
この取付装置１１の挟圧片１４は、外面部１２（スカート部１３の拡開間隔）よりも小さな幅の短冊形状に形成されており、外面部１２の一端部１２ｂの背面に固設された一端部１４ｂから折り返されてその外面部１２の他端部１２ｃの背面側に接近する波形状に作製されている。すなわち、この挟圧片１４は、他端部１４ｃがスカート部１３の側辺１３ａよりも外面部１２の他端部１２ｃの背面側に沈みつつ、さらに、その端辺１４ｄが外面部１２の他端部１２ｃの背面側から離隔してスカート部１３の側辺１３ａよりも浮いた状態になる形状に形成されている。
【００１８】
これにより、取付装置１１は、スカート部１３の側辺１３ａと挟圧片１４の端辺１４ｄとの間に取付対象の板状部材を差し込むことにより、その板状部材をスカート部１３の側辺１３ａと挟圧片１４の他端部１４ｃとの間で挟圧する状態に取り付けることができる。ここで、取付装置１１は、接近するスカート部１３の側辺１３ａと挟圧片１４の端辺１４ｄが板状部材を挟み込んで挟圧する状態に取り付けることから、棒状部材２１の先端側に荷重が掛かって外面部１２に回転力が加わる場合でも、ブロック形状の対象物を離隔する部材間で挟み込む場合のようにその回転力により滑って外れてしまう恐れなく、その回転を制限して取付状態を維持することができる。
【００１９】
棒状部材２１は、取付装置１１の外面部１２に鉛直な姿勢になるように基端部２１ａが溶接などされて固設されており、その外面部１２の他端部１２ｃ側との間に概略三角形の補強板２２が溶接されている。
【００２０】
この棒状部材２１の先端部２１ｂは、取付装置１１の外面部１２の一端部１２ｂが上側になるように取り付けた際に、先端側ほど上昇する返し形状の姿勢になるように設計されており、その本体部分の延在方向に対して交差するように水平方向に周回しつつ上昇する周回部を構成するように、所謂、豚の尻尾形状に形成されている。
【００２１】
そして、この電柱設置装置１０は、取付装置１１のスカート部１３の側辺１３ａの間隔が、図３に示す変圧器１００のハンガ座１１０よりも幅狭の間隔になるように作製されており、取付装置１１のスカート部１３の側辺１３ａと挟圧片１４の端辺１４ｄとの間に、その変圧器１００の板状部材であるハンガ座１１０を差し込んで挟圧させることにより、棒状部材２１を水平方向外方に延在する姿勢に取付・支持させて設置することができるように設計されている。
【００２２】
ここで、変圧器１００のハンガ座１１０は、図３に示すように、横断面形状がコの字形状に作製されており、変圧器１００の円筒外装部１０１の外周面に対して平行の姿勢で離隔する平面部１１１に下方に開口するスリット１１２が形成されている。この変圧器１００は、そのハンガ座１１０が上下一対にされて電線の接続部１０２の両側に配設されており、その片側のハンガ座１１０を不図示の電柱上部にそのスリット１１２を利用してボルトのヘッドを係合させるなどすることにより固定することができるように設計されている。
【００２３】
このことから、電柱設置装置１０は、図４に示すように、変圧器１００のハンガ座１１０の平面部１１１を、取付装置１１のスカート部１３と挟圧片１４との間に挟み込むように差し込むことにより、棒状部材２１を水平方向外方に延在する姿勢に設置することができ、その棒状部材２１に図５に示すような工具袋２００の紐２０１を引っ掛けて吊り下げることができる。この状態では、棒状部材２１の先端部２１ｂは、上方に周回する帰し形状になっていることから、工具袋２００の紐２０１が外方に向かって滑ったとしても脱落することがなく、また、その周回内に工具袋２００の紐２０１を進入させることにより不用意に大きく上方に持ち上げられたとしても抜け出て外れてしまうことなく、引っ掛けた状態を維持することができる。
【００２４】
したがって、作業者は、変圧器１００のハンガ座１１０に電柱設置装置１０を上方から差し込むだけで容易に設置して、長尺な防護管２０２などの材料や操作棒２０３などの工具を収納した工具袋２００をその棒状部材２１に吊り下げ準備することができる。
【００２５】
このように本実施形態においては、作業者は、簡易な構造で安価に作製可能な電柱設置装置１０を、既存の変圧器１００のハンガ座１１０に容易に設置して工具袋２００を安全に吊り下げることができる。したがって、作業位置の変圧器１００（ハンガ座１１０）に工具袋２００を吊り下げることにより姿勢を大きく変えることなく楽に材料や工具を取り出して作業を行うことができ、また、その工具袋２００を落下させないように注意することなく、変圧器１００周りの各種作業を集中して効率よく行うことができる。
【００２６】
ここで、本実施形態では、変圧器１００のハンガ座１１０に電柱設置装置１０を設置する場合を説明するが、これに限るものではないことは言うまでもなく、例えば、電柱に設置されるアームに挟圧片１４を差込可能なスリットが形成されている場合には、そこにも設置することができ、そのスリットが側方に向かって開口している場合には、棒状部材２１を立てた状態にして設置することもできる。
【００２７】
また、本実施形態では、棒状部材２１の先端部２１ｂが水平方向に周回しつつ上昇する、所謂、豚の尻尾形状に周回部を形成する場合を一例に説明するが、これに限るものではなく、例えば、図６に示すように、垂直方向に周回する、所謂、豚の尻尾形状の周回部を先端部２１ｂに形成しても良い。この場合には、棒状部材２１の先端部２１ｂが一旦降下することから、工具袋２００の紐２０１が外方に向かって滑ったとしても脱落することなく受け取ることができ、その先端までの周回内に工具袋２００の紐２０１が進入することにより不用意に大きく上方に持ち上げられたとしても抜け出て外れてしまうことなく、引っ掛けた状態を信頼性高く維持することができる。
【産業上の利用可能性】
【００２８】
これまで本発明の一実施形態について説明したが、本発明は上述の実施形態に限定されず、その技術的思想の範囲内において種々異なる形態にて実施されてよいことは言うまでもない。
【図面の簡単な説明】
【００２９】
【図１】本発明に係る電柱設置装置の一実施形態を示す図であり、その概略全体構成を示す斜視図である。
【図２】その電柱設置装置の側面図である。
【図３】その設置対象の変圧器を示す図であり、（ａ）はその上面図、（ｂ）はその正面図、（ｃ）はその側面図である。
【図４】その変圧器に設置した電柱設置装置の状態を示す斜視図である。
【図５】その電柱設置装置に引っ掛ける一例の工具袋を示す斜視図である。
【図６】その他の態様の要部の構成を示す図であり、（ａ）はその側面図、（ｂ）はその上面図である。
【符号の説明】
【００３０】
１０……電柱設置装置    １１……取付装置    １２……外面部    １３……スカート部    １４……挟圧片    ２１……棒状部材    ２１ｂ……先端部    ２２……補強板    １００……変圧器    １１０……ハンガ座    １１１……平面部    １１２……スリット    ２００……工具袋    ２０１……紐
【図１】
0004450790.tif 000002
【図２】
0004450790.tif 000003
【図３】
0004450790.tif 000004
【図４】
0004450790.tif 000005
【図５】
0004450790.tif 000006
【図６】
0004450790.tif 000007